(57)【特許請求の範囲】
【請求項１】
裏面に対する傾きが４５度の取り付け面を有する固定部材と、
該固定部材の取り付け面に回動自在に付設される竿部とからなり、
該竿部は、該固定部材の取り付け面と対向する当接面を有する基部と、該基部と一体である該当接面に対する傾きが４５度の竿部本体部からなり、該基部は、該当接面の直交方向を回転軸として回動することを特徴とする物干し棒。
【請求項２】
前記固定部材は、板状の基板の長手方向における一端部に側面視が略三角形状の取付本体部を形成したものであることを特徴とする請求項１記載の物干し棒。
【請求項３】
前記固定部材と前記竿部の当接面に、前記竿部が前記固定部材に対して回動する際、起立状態である収納位置への到達と水平状態である使用位置への到達を感知させる回動規制手段を設けたことを特徴とする請求項１又は２記載の物干し棒。
【請求項４】
前記回動規制手段は、前記固定部材側の係合凹部又は係合突起と、前記竿部側の係合突起又は係合凹部との係合によるものであることを特徴とする請求項３記載の物干し棒。
【請求項５】
前記回動規制手段は、前記固定部材側と前記竿部にそれぞれ形成された係合凹部と、該係合凹部間に嵌められるボールとの嵌合によるものであることを特徴とする請求項３記載の物干し棒。
【発明の詳細な説明】
【技術分野】
【０００１】
本発明は、特に室内で使用するのに好適な物干し棒に関するものである。
【背景技術】
【０００２】
特開平７−３１３７９７号公報には、竿受部を有する腕杆と、腕杆を支持する支持具から成り、腕杆を略垂直状態及び略水平状態に設定することができる物干装置であって、腕杆は、略水平状態の時、支持具が取り付けられる取付面とのなす角が上面から見て鋭角になるように成し、物干竿を支持具の取付面に対して略直角に支持できる物干装置が開示されている。この物干し装置は、物干し竿を取り付け面に対して略直角に支持することができ、なおかつ、不使用時に物干し竿を外せば、邪魔にならないように収納できる。
【特許文献１】特開平７−３１３７９７号公報（請求項１）
【発明の開示】
【発明が解決しようとする課題】
【０００３】
しかしながら、特開平７−３１３７９７号公報に記載の物干し装置は、室内で使用できるものの、長い物干し竿を使用するものである。近年、洗濯物を室内で干すことが習慣となっている者が多い。特に、タオル等の１枚ものを乾かすには、ハンガーに吊り下げたり、クリップ留めで吊り下げたりする方法で行われている。近年、清潔感や高級感をだすため、鉛直な壁面から金属棒の竿部を水平方向に突出させたものも使用されている。しかしながら、このような水平方向に突出させた竿部は生活をする中では障害物となることがあり、また危険な造作物となる。
【０００４】
従って、本発明の目的は、室内で１枚ものを乾かすのに好適で、且つ不使用時に収納可能な物干し棒を提供することにある。
【課題を解決するための手段】
【０００５】
かかる実情において、本発明者は鋭意検討を行った結果、裏面に対する傾きが４５度の取り付け面を有する固定部材と、該固定部材に回動自在に付設される特定形状の竿部とからなる物干し棒とすれば、室内で１枚ものを乾かすのに好適で、且つ不使用時に固定部材に重ね合わせで収納できるため、生活空間の障害物とならないことなどを見出し、本発明を完成するに至った。
【０００６】
すなわち、本発明は、裏面に対する傾きが４５度の取り付け面を有する固定部材と、該固定部材の取り付け面に回動自在に付設される竿部とからなり、該竿部は、該固定部材の取り付け面と対向する当接面を有する基部と、該基部と一体である該当接面に対する傾きが４５度の竿部本体部からなり、該基部は、該当接面の直交方向を回転軸として回動することを特徴とする物干し棒を提供するものである。
【０００７】
また、本発明は、前記固定部材は、板状の基板の長手方向における一端部に側面視が略三角形状の取付本体部を形成した前記物干し棒を提供するものである。
【０００８】
また、本発明は、前記固定部材と前記竿部の当接面に、前記竿部が前記固定部材に対して回動する際、起立状態である収納位置への到達と水平状態である使用位置への到達を感知させる回動規制手段を設けた前記物干し棒を提供するものである。
【０００９】
また、本発明は、前記回動規制手段は、前記固定部材側の係合凹部又は係合突起と、前記竿部側の係合突起又は係合凹部との係合によるものであることを特徴とする前記物干し棒を提供するものである。
【００１０】
また、本発明は、前記回動規制手段は、前記固定部材側と前記竿部のそれぞれに形成された係合凹部と、該係合凹部間に嵌められるボールとの嵌合によるものである前記物干し棒を提供するものである。
【発明の効果】
【００１１】
本発明の物干し棒によれば、使用時は、竿部本体部を壁などの取り付け面に対して垂直姿勢として利用し、不使用時は、固定部材に重ね合わせで収納できる。このため、室内で１枚ものを乾かすのに好適で、且つ不使用時は、生活空間の障害物とならない。また、回動規制手段を設けたため、竿部を回動させた際、使用時及び不使用時の位置を容易に体感できる。
【発明を実施するための最良の形態】
【００１２】
次に、本発明の実施の形態における物干し棒を図１〜図７を参照して説明する。図１は本例の物干し棒の使用時の斜視図、図２は図１の側面図、図３は本例の物干し棒の不使用時（収納時）の斜視図、図４は図３の側面図、図５は本例の物干し棒の分解斜視図、図６は本例の物干し棒の裏側から見た分解斜視図、図７は図２の横断面図である。
【００１３】
物干し棒１０は、裏面１１９に対する傾きが４５度の取り付け面１１１を有する固定部材１と、固定部材１の取り付け面１１１に回動自在に付設される竿部２とからなり、竿部２は、固定部材１の取り付け面１１１と対向する当接面２２２を有する基部２１と、基部２１と一体である当接面２２２に対する傾きが４５度の竿部本体部２２からなる。
【００１４】
固定部材１は、壁面Ａなどに固定される、扁平状の板状の基板１２の長手方向（図１の上下方向）における一端部（図１中、下方端部）に側面視が略三角形状の取付本体部１１を形成したものである。取付本体部１１の略三角形状を構成する２つの斜面の中、上側部方の斜面が、固定部材１の取り付け面１１１であり、壁面Ａに当接する裏面１１９に対する傾きが４５度の見掛け上の面を形成する。見掛け上の面は、竿部本体部２２の回動角度を決定する基準面となるもので、全体が平坦面ではなく、凹部などが存在するものを含む意味である。
【００１５】
固定部材１の基板１２には、ビス孔１２２が形成され、カバーケース１２１（図５及び図６では不図示）が嵌る形状となっている。これによりビス頭がカバーケース１２１により覆われ外観が表れないため、意匠性に優れたものとなる。また、固定部材１の側面視が略三角形状の取付本体部１１には、平面視が円形状のくり抜かれた凹部１１２を有し、その中心で且つ取り付け面１１１の直交方向に貫通孔１１４が形成されている。また、凹部１１２の左右両側部には突起１１３が形成されている。これにより、竿部２の当接面２２２との摺動に関与する摩擦低減部材３１の凹部１１２への挿入と固定が可能となる。また、固定部材１の取付本体部１１の裏面はくり抜き構造となっている。これにより、ビス６１がくり抜き空間に収容され、ビス６１の頭が裏面１１９から後方へ突出することがなく、壁面Ａへの固定の障害となることがない。また、貫通孔１１４の内壁には、受け螺子４３の切り欠き部４３２が係合し、受け螺子４３の回動を規制する突起（不図示）が形成されている。
【００１６】
固定部材１の取り付け面１１１の側面視における長さは、竿部２の基部２１の側面視における長さより、僅かに大きくしている。これにより、竿部２は不使用時に固定部材１に重なるような状態を維持できるため、生活空間における障害物とはならない。
【００１７】
竿部２の基部２１は固定部材１の取り付け面１１１と対向する当接面２２２を有する略円筒形状である。すなわち、基部２１には、平面視が円形状にくり抜かれた凹部２１３を有し、その中心で且つ当接面２２２の直交方向に貫通孔２１２が形成されている。これにより、受け螺子４３が凹部２１３に嵌合することになり、ビス６１は裏側にくるため、ビス頭は外部から見えず、意匠性に優れたものとなる。また、受け螺子４３の上端部と基部２１の上端部がほぼ面一となるため、意匠性に優れたものとなる。
【００１８】
竿部２の基部２１の当接面２２２には、上下に凹部２１１が形成されている。凹部２１１にはボール４１の概ね１/４球分が嵌合して、後述する回動規制手段を形成することになる。なお、凹部２１１とボール４１との嵌合は円滑な回動の一時的な障害となるものの、そのまま手で回せば再び円滑な回動をするような弱い嵌合である。
【００１９】
竿部２の基部２１には、竿部本体部２２の一端部と嵌合する円筒状の係合部２５が付設されている。係合部２５の外周は軸方向と平行に延びる縦溝が円周方向に所定のピッチで複数形成され、また係合部２５の先端の角は面取りされており、係合部２５とパイプ状の竿部本体部２２の接続を円滑なものとしている。また、係合部２５の内部には雌螺子が切られており、連結棒２３の雄螺子との螺合を可能としている。
【００２０】
また、本例では、固定部材１と竿部２との接合手段及び回動規制手段として、外観が円板状の摩擦低減部材３１と、２個のボール４１と、カラー部材４２と、受け螺子４３を備える。摩擦低減部材３１は、中心部に貫通孔３２が形成され、取り付け面１１１側の左右両端部に係合凹部３３、３３が形成され、竿部２の当接面２２２側の上下両端部に係合凹部３４、３４が形成されている。係合凹部３３、３３は固定部材１の凹部１１２内に形成された突起１１３と係合して摩擦低減部材３１の回動を規制するものである。係合凹部３４、３４は竿部２の基部２１の凹部２１１と協働して、一対のボール４１を挟み込み、竿部本体部２２の回動を規制する回動規制手段として作用する。係合凹部３４、３４は、一対のボール４１を実質的に内包する深さ、すなわち概ねボール４１の径方向の約３/４を内包する深さであり、竿部２の基部２１の凹部２１１の深さより深い。
【００２１】
受け螺子４３は螺子頭４３３と筒状螺子本体部４３１とからなる。筒状螺子本体部４３１の先端部には切り欠き部４３２が形成され、また筒状螺子本体部４３１の径方向の中心部には雌螺子が切られており、ビス６１との螺合を可能としている（図６参照）。
【００２２】
竿部本体部２２は、基部２１と一体である当接面２２２に対する傾きが４５度のパイプ部材である。竿部本体部２２の長さは用途に応じて適宜決定される。また、本例では、竿部２の基部２１に竿部本体部２２を取り付ける手段として、更に両端に雄螺子が形成された連結棒２３と締め付け螺子２４を備える。締め付け螺子２４は螺子頭２４２と筒状螺子本体部２４１からなる。
【００２３】
筒状螺子本体部２４１の外周は軸方向に延びる縦溝２６が円周方向に所定のピッチで複数形成され、また筒状螺子本体部２４１の先端の角は面取りされており、筒状螺子本体部２４１とパイプ状の竿部本体部２２の接続を円滑なものとしている。また、筒状螺子本体部２４１の径方向の中心部に雌螺子が切られており、連結棒２３の雄螺子との螺合を可能としている。
【００２４】
物干し棒１０を組み付けるには、固定部材１の凹部１１２に摩擦低減部材３１を、摩擦低減部材３１の係合凹部３４にボール４１をそれぞれ入れ込み、次いで固定部材１に竿部２の基部２１を、受け螺子４３とビス６１等で取り付ける。次いで、竿部２の基部２１に竿部本体部２２を、締め付け螺子２４及び連結棒２３で固定する。次いで、固定部材１を壁面などにビス止めし、最後に固定部材１の基板１１にカバー部材１２１を取り付ける。
【００２５】
次に、物干し棒１０の使用方法について説明する。組み付けられた物干し棒１０を使用状態にするには、竿部本体部２２を手で回動させる。この回動は固定部材１側の摩擦低減部材３１の係合凹部３４、３４に嵌め込まれたボール４１と竿部２の基部２１の当接面２２２との摺動であり、円滑に行なわれる。竿部本体部２２が壁面Ａに対して垂直姿勢の位置にくると、竿部２の基部２１に形成された浅い深さを有する凹部２１１とボール４１が係合するため、円滑な回動がやや規制され、「カチッ」と嵌る振動を体感できる。このため、使用者は物干し棒１０の使用状態を感知するため、竿部本体部２２の回動を停止する（図１、２及び７）。
【００２６】
使用状態における物干し棒１０は、竿部本体部２２は壁面Ａから垂直方向に張り出しており、タオル等を室内で干す場合に都合がよい。また、生活者が物干し棒１０の竿部本体部２２に例えば頭をぶつけても、竿部本体部２２が回動規制状態から回動状態に容易に変わるため、怪我などを最小限にすることができる。
【００２７】
次に、使用状態の物干し棒１０を使用しない場合、壁面Ａに対して垂直状態にある竿部本体部２２を手で回動させる。ボール４１と凹部２１１との係合強度はこのような手の回動力よりも小さいものであるため、この回動の始動は容易である。そして一旦始動した回動は、固定部材１側の摩擦低減部材３１の係合凹部３４、３４に嵌め込まれたボール４１と竿部２の基部２１の当接面２２２との摺動であり、円滑に行なわれる。竿部本体部２２が壁面Ａに対して平行姿勢となる位置にくると、竿部２の基部２１に形成された浅い深さを有する凹部２１１とボール４１が係合するため、円滑な回動が規制され、「カチッ」と嵌る振動を体感できる。このため、使用者は物干し棒１０の収納状態を感知するため、竿部本体部２２の回動を停止する（図３及び４）。そして、物干し棒１０の収納状態は、固定部材１と竿部本体部２２とがほぼ重なり合った状態であるため、壁面Ａからの突出長さが極めて小さく、生活空間を狭めることはない。
【００２８】
本発明の物干し棒は、上記形態に限定されず、種々の変形例を採ることができる。例えば、固定部材１の基板における略三角形状の取付本体部は、基板の本体の中央部に位置していてもよい。また、基部１２のビス頭を覆うカバーケース１２１はなくてもよい。また、固定部材１の取り付け面は凹部が省略された全面が平坦状のものであってもよい。この場合、摩擦低減部材３１は省略することができる。また、竿部２は基部２１と竿部本体部２２が一体構造のものであってもよい。竿部本体部２２の先端部は拡径のキャップ状であり、干し物を掛け易いようにしているが、これに限定されず、竿部本体部２２の先端まで一様な径の棒材であってもよい。また、竿部本体部２２は円形断面形状に限定されず、矩形断面形状あるいは楕円断面形状などであってもよい。また、回動規制手段は、上記形態に限定されず、固定部材側の係合凹部又は係合突起と、竿部側の係合突起又は係合凹部との係合によるものであってもよい。このような係合関係であっても、上記のような係合凹部間に嵌められるボールとの嵌合による場合と同様の効果を奏する。
【図面の簡単な説明】
【００２９】
【図１】本実施の形態例の物干し棒の使用時の斜視図である。
【図２】図１の側面図である。
【図３】本例の物干し棒の不使用時（収納時）の斜視図である。
【図４】図３の側面図である。
【図５】本例の物干し棒の分解斜視図である。
【図６】本例の物干し棒の裏側から見た分解斜視図である。
【図７】図２の横断面図である。
【符号の説明】
【００３０】
１      固定部材
２      竿部
１０    物干し棒
１１    取付本体部
１２    基板
２１    基部
２２    竿部本体部
４３      受け螺子
６１      ビス
１１１  取り付け面
１１２    凹部
１１３    突起
１１４    貫通孔
１１９  裏面
１２１    カバーケース
１２２    ビス孔
２２２  当接面
４３２    切り欠き部
Ａ      壁面
【図１】
0005288594.tif 000002
【図２】
0005288594.tif 000003
【図３】
0005288594.tif 000004
【図４】
0005288594.tif 000005
【図５】
0005288594.tif 000006
【図６】
0005288594.tif 000007
【図７】
0005288594.tif 000008